(57)【要約】 【課題】遊技中における灰皿使用時は勿論、着席時や離席時などでも灰皿が邪魔にならない新規なスロットマシンの提供。【解決手段】箱形筐体１０の前面開口部１１にこれを開閉するための前面扉２０を有し、当該前面扉２０に、その表面より前記筐体１０側に凹んだ収容部８０を備えたスロットマシン１００において、当該収容部８０に灰皿ユニット８２を着脱自在に備える。これによって、遊技中における灰皿使用時は勿論、着席時や離席時などでも灰皿が邪魔にならず、快適な遊技を提供できる。【選択図】   図１
2008237525.tif 000002
【特許請求の範囲】
【請求項１】
箱形筐体の前面開口部にこれを開閉するための前面扉を有し、当該前面扉に、その表面より前記筐体側に凹んだ収容部を備えたスロットマシンにおいて、
当該収容部に灰皿ユニットを着脱自在に備えたことを特徴とするスロットマシン。
【請求項２】
請求項１に記載のスロットマシンにおいて、
前記前面扉に、リールを表示するための表示部と、当該表示部よりも下方であって遊技を開始および終了させるための遊技操作部と、当該遊技操作部よりも下方に位置する意匠パネル部と、当該意匠パネルよりも下方に位置する受皿部と、を形成し、
前記収容部を、前記受皿部よりも上方に備えたことを特徴とするスロットマシン。
【請求項３】
請求項２に記載のスロットマシンにおいて、
前記収容部を、前記意匠パネル部の左右方向に並列に形成したことを特徴とするスロットマシン。
【請求項４】
請求項３に記載のスロットマシンにおいて、
前記収容部を、遊技者から向かって前記意匠パネル部の中央よりも左側に形成したことを特徴とするスロットマシン。
【請求項５】
請求項１〜４のいずれか１項に記載のスロットマシンにおいて、
前記収容部に、これを開閉するための開閉部材を備えたことを特徴とするスロットマシン。
【請求項６】
請求項５に記載のスロットマシンにおいて、
前記開閉部材は、前記意匠パネル部表面と平行にスライドするスライド式のものであることを特徴とするスロットマシン。
【請求項７】
請求項５または６に記載のスロットマシンにおいて、
前記開閉部材の表面に、これを閉じたときに前記意匠パネル部に表示される図柄の一部を構成する図柄が表示されていることを特徴とするスロットマシン。
【請求項８】
請求項１〜７のいずれか１項に記載のスロットマシンにおいて、
前記収容部に、これより前記前面扉の側面または背面側に延びる排煙孔を有することを特徴とするスロットマシン。
【請求項９】
請求項１〜８のいずれか１項に記載のスロットマシンにおいて、
前記灰皿ユニットは、前記収容部に装着される縦長の枠体部と、当該枠体部内に着脱される吸殻容器とからなることを特徴とするスロットマシン。
【請求項１０】
請求項１〜８のいずれか１項に記載のスロットマシンにおいて、
前記灰皿ユニットは、前記収容部に装着される縦長の枠体部と、当該枠体部内の下段側に対して引き出し式に着脱する吸殻容器とからなると共に、
前記枠体部は、前記吸殻容器の上部に位置するタバコ載置部と、当該タバコ載置部からほぼ水平に延びるタバコ消化部と、当該タバコ消火部に穿孔されたタバコ落下孔とを有することを特徴とするスロットマシン。
【請求項１１】
請求項９または１０に記載のスロットマシンにおいて、
前記吸殻容器は、その前面部または全体が透明材料から形成されていることを特徴とするスロットマシン。
【発明の詳細な説明】
【技術分野】
【０００１】
本発明は、所謂パチスロ機などと称されるスロットマシン（回胴式遊技機）に係り、特に遊技者が遊技中などに嗜好するタバコの灰皿部分の構造を改良したスロットマシンに関するものである。 
【背景技術】
【０００２】
従来の一般的なスロットマシンは、例えば図１３に示すように縦長の箱形をした筐体（キャビネット）１０の前面開口部にヒンジ式に開閉する前面扉２０を備え、その前面扉２０の上段側に内部リール３０を視認可能な窓部４１などを有する表示部４０が形成されると共に、その表示部４０の下方にそのスロットマシンの種別、当選役の種類などの各種図柄が意匠的に表示されるほぼ垂直平面状の意匠パネル部５０が形成された構造となっている。
【０００３】
また、さらにこの意匠パネル部５０の下部には、メダル受皿６０がその幅方向に沿って形成されていると共に、そのメダル受皿６０の左端には、灰皿７０がこれと一体的に形成されている。そして、そのメダル受皿６０のほぼ中央部には、メダルを排出するためのメダル排出口６１が形成されている。
この灰皿７０は、遊技者が遊技中などにおいて嗜好するタバコを一時的に固定しておいたり、その吸殻を収容するために必要不可欠なものであるが、メダル受皿６０に隣接して設けられているため、そのメダル受皿６０内に溜まったメダルの一部が入り込んでしまったり、あるいはその灰皿７０が存在する分だけメダル受皿６０の幅（容積）が狭くなってしまうといった問題がある。
【０００４】
また、タバコを嗜好しない遊技者などにとっては、この灰皿７０は全く不要なものであるだけでなく、却って遊技の邪魔になってしまうことがある。
そのため、例えば以下の特許文献１などでは、この灰皿を意匠パネル部５０側に設けることでメダルの一部が入り込んでしまったり、あるいはその灰皿７０が存在する分だけメダル受皿６０の幅（容積）が狭くなるといった不都合を解消している。
【０００５】
また、以下の特許文献２などでは、この灰皿をメダル受皿６０から分離し、この灰皿のみを取り外したり、その内部に収容自在とすることでその灰皿が邪魔にならないような構造を提案している。
【特許文献１】特開２００６−３０５１１７号公報
【特許文献２】特開２００４−３３０７９号公報
【発明の開示】
【発明が解決しようとする課題】
【０００６】
しかしながら、前記特許文献１などのような構造では、その使用時において、灰皿が意匠パネル部５０表面より遊技者側に大きく突出した状態となるため、遊技中は勿論、着席時や離席時などにその灰皿が邪魔となってしまうことがある。
また、この意匠パネル部５０は、そのスロットマシンの種別やそのスロットマシンのモチーフとなるキャラクターや当選役などを表現するための所定の図柄などが意匠的に表示されているものであるが、この意匠パネル部５０部分に不用意に灰皿などを設けてしまうと、その意匠パネル部５０のデザイン性や美観を大きく損ねてしまうことがある。
【０００７】
一方、前記特許文献２などのような構造では、必要に応じてその灰皿を取り外してしまったり筐体内部に収容してしまえば遊技の邪魔になることはないが、その設置位置自体は、メダル受皿６０に隣接しているため、その分だけメダル受皿６０の幅（容積）が狭くなってしまうといった不都合は解消できない。
そこで、本発明は前記の問題点に鑑みてなされたものであり、その主な目的は遊技中における灰皿使用時は勿論、着席時や離席時などでも灰皿が邪魔にならない新規なスロットマシンを提供するものである。
また、本発明の他の目的は、意匠パネル部などのデザイン性や美観を損ねたり、メダル受皿の幅（容積）が狭くなってしまうなどといった不都合を確実に解消できる新規なスロットマシンを提供するものである。
【課題を解決するための手段】
【０００８】
前記課題を解決するために、請求項１の発明は、
箱形筐体の前面開口部にこれを開閉するための前面扉を有し、当該前面扉に、その表面より前記筐体側に凹んだ収容部を備えたスロットマシンにおいて、当該収容部に灰皿ユニットを着脱自在に備えたことを特徴とするスロットマシンである。
また、請求項２の発明は、  
請求項１に記載のスロットマシンにおいて、前記前面扉に、リールを表示するための表示部と、当該表示部よりも下方であって遊技を開始および終了させるための遊技操作部と、当該遊技操作部よりも下方に位置する意匠パネル部と、当該意匠パネルよりも下方に位置する受皿部と、を形成し、前記収容部を、前記受皿部よりも上方に備えたことを特徴とするスロットマシンである。
【０００９】
また、請求項３の発明は、
請求項２に記載のスロットマシンにおいて、前記収容部を、前記意匠パネル部の左右方向に並列に形成したことを特徴とするスロットマシンである。
また、請求項４の発明は、
請求項３に記載のスロットマシンにおいて、前記収容部を、遊技者から向かって前記意匠パネル部の中央よりも左側に形成したことを特徴とするスロットマシンである。
また、請求項５の発明は、
請求項１〜４のいずれか１項に記載のスロットマシンにおいて、前記収容部に、これを開閉するための開閉部材を備えたことを特徴とするスロットマシンである。
【００１０】
また、請求項６の発明は、
請求項５に記載のスロットマシンにおいて、前記開閉部材は、前記意匠パネル部表面と平行にスライドするスライド式のものであることを特徴とするスロットマシンである。
また、請求項７の発明は、
請求項５または６に記載のスロットマシンにおいて、前記開閉部材の表面に、これを閉じたときに前記意匠パネル部に表示される図柄の一部を構成する図柄が表示されていることを特徴とするスロットマシンである。
【００１１】
また、請求項８の発明は、
請求項１〜７のいずれか１項に記載のスロットマシンにおいて、前記収容部に、これより前記前面扉の側面または背面側に延びる排煙孔を有することを特徴とするスロットマシンである。
また、請求項９の発明は、
請求項１〜８のいずれか１項に記載のスロットマシンにおいて、前記灰皿ユニットは、前記収容部に装着される縦長の枠体部と、当該枠体部内に着脱される吸殻容器とからなることを特徴とするスロットマシンである。
【００１２】
また、請求項１０の発明は、
請求項１〜８のいずれか１項に記載のスロットマシンにおいて、前記灰皿ユニットは、前記収容部に装着される縦長の枠体部と、当該枠体部内の下段側に対して引き出し式に着脱する吸殻容器とからなると共に、前記枠体部は、前記吸殻容器の上部に位置するタバコ載置部と、当該タバコ載置部からほぼ水平に延びるタバコ消化部と、当該タバコ消火部に穿孔されたタバコ落下孔とを有することを特徴とするスロットマシンである。
また、請求項１１の発明は、
請求項９または１０に記載のスロットマシンにおいて、前記吸殻容器は、その前面部または全体が透明材料から形成されていることを特徴とするスロットマシンである。
【発明の効果】
【００１３】
請求項１の発明によれば、前面扉に形成した収容部に灰皿ユニットを着脱自在に備えたことから、灰皿部分が前面扉表面から大きく突出することがなくなり、遊技中における灰皿使用時は勿論、着席時や離席時などでも灰皿が邪魔になることがない。
また、請求項２の発明によれば、その受皿部よりも灰皿の位置が高くなるため、受皿部のメダルの混入を防止できる。
また、請求項３の発明によれば、灰皿が遊技者が注目する表示部や遊技操作部よりも下方になるため、遊技の妨げとならない。
また、請求項４の発明によれば、前記収容部を、遊技者から向かって前記意匠パネル部の中央よりも左側に形成したことから、灰皿の使い勝手が向上する。
【００１４】
また、請求項５の発明によれば、前記収容部に、これを開閉するための開閉部材を備えたことから、灰皿の未使用時には、これを閉じればその灰皿部分が見えなくなるため、意匠パネル部のデザイン性や美観を損ねることがない。
また、請求項６の発明によれば、前記開閉部材は、前記意匠パネル部表面と平行にスライドするスライド式のものであることから、その開閉時などにその開閉部材が邪魔になることがない。
また、請求項７の発明によれば、前記開閉部材の表面に、これを閉じたときに前記意匠パネル部に表示される図柄の一部を構成する図柄が表示されていることから、意匠パネル部のデザイン性や美観を損ねることがない。
【００１５】
また、請求項８の発明によれば、前記収容部に、これより前記前面扉の側面または背面側に延びる排煙孔を有することから、その収容部内で発生したタバコの煙が排煙孔を通過して前面扉の側面または背面側に排出されるようになり、遊技者側にそのタバコの煙が戻ってくるのを防止することができる。
また、請求項９の発明によれば、前記灰皿ユニットは、前記収容部に装着される縦長の枠体部と、当該枠体部内に着脱される吸殻容器とからなるため、その吸殻容器の交換作業や設置作業を容易に行うことができる。
【００１６】
また、請求項１０の発明によれば、前記灰皿ユニットは、前記収容部に装着される縦長の枠体部と、当該枠体部内の下段側に対して引き出し式に着脱する吸殻容器とからなると共に、前記枠体部は、前記吸殻容器の上部に位置するタバコ載置部と、当該タバコ載置部からほぼ水平に延びるタバコ消火部と、当該タバコ消火部に穿孔されたタバコ落下孔とを有することから、着火時のタバコの仮置きやその消火、並びにその吸い殻の収容などといった喫煙時の一連の動作の全てに対して十分に対応することができる。また、この吸殻容器は引き出し式のため、その着脱作業を極めて容易に行うことができる。
また、請求項１１の発明によれば、前記吸殻容器は、その前面部または全体が透明材料から形成されていることから、その内部に溜まった吸い殻の量などを目視によって容易に把握することができる。従って、その吸い殻の処理や交換作業などを効率的に行うことができる。  
【発明を実施するための最良の形態】
【００１７】
以下、本発明に係るスロットマシン（「パチスロ機」あるいは「回胴式遊技機」ともいう、以下同じ）１００の実施の形態を図面を参照しながら説明する。
図１〜図５は、本発明に係るスロットマシン１００の第１の実施の形態を示したものであり、図１および図２はその外観斜視図、図３はその正面図、図４はその内部構造を示す斜視図、図５はその内部構造を示す正面図である。
図示するように、このスロットマシン１００は、縦長の箱形をした筐体（キャビネット）１０の前面開口部１１にヒンジ式の前面扉２０が設けられており、図４および図５に示すようにこの前面扉２０がその左端を軸として開閉動するようになっている。
【００１８】
この前面扉２０は、内部リール３０の３つのリール３０ａ、３０ｂ、３０ｃを透過して視認可能に表示するための透明な窓部４１を備えた表示部４０が形成されていると共に、この表示部４０よりも下方には、この表示部４０の表面よりやや前方に突出したほぼ垂直平面状の意匠パネル部５０が形成されており、さらにこの意匠パネル部５０の下部には、メダル排出口６１から排出されたメダルを貯めておくためのメダル受皿６０がその幅方向に延びるように一体的に形成されている。
【００１９】
また、図１〜図３などに示すように、この表示部４０の窓部４１の右側には、液晶表示部４２が設けられており、遊技中における各種演出図柄などを変動表示する他、メダル切れやトラブルなどを各種情報を表示するようになっている。
また、同図に示すように、この表示部４０と意匠パネル部５０との間には、遊技者の操作によって任意に遊技（ゲーム）を開始および終了させるための遊技操作部９０が形成されている。
【００２０】
この遊技操作部９０は、ゲームを実行するためのスタートレバー９１と、最大ＢＥＴボタン９２と、通常ＢＥＴボタン９３と、メダル投入口９４と、３つのストップボタン９５ａ、９５ｂ、９５ｃと、精算ボタン９９などの各操作部品から構成されており、遊技者（プレーヤー）がメダル投入口９４から、遊技価値媒体の１つである所定のメダルを投入するか、ＢＥＴボタン９２、９３を押して所定枚数のメダルを賭けてからスタートレバー９１を押下して内部リール３０ａ、３０ｂ、３０ｃを回動させた後、ストップボタン９５ａ、９５ｂ、９５ｃを順に押すことによって内部リール３０ａ、３０ｂ、３０ｃを停止させ、その停止した図柄の組み合わせが、予め定められた当選役の組み合わせとなった場合はその当選役に応じたメダルが遊技者に付与される。その際、内部的に記憶されている貯留メダル数が、記憶上限値（例えば５０枚）に達していない分については、その貯留メダル数に加算され、記憶上限値を超えた分のメダルについては、メダル排出口６１から適宜排出されるようになっている。
【００２１】
また、この表示部４０の上部には、スピーカ９７，９７と、点滅パネル９８などの演出用部品が一体的に設けられており、音やランプの点滅によって主に遊技中の演出を行うようになっている。なお、この遊技操作部９０のメダル投入口９４の下部に示す符号９６は、この前面扉２０を開閉・施錠するための鍵を挿入するための鍵穴である。
【００２２】
一方、図４および図５に示すように、この前面扉２０を備えた筐体（キャビネット）１０内には、前述した内部リール３０を構成するリールユニット３１と、投入されたメダルの収容や払い出しを行うためのメダル払い出しユニット３２と、オーバーフロー用のメダル容器３７と、各種設定を行う設定部３３と、遊技全般を制御するための主制御基板３４と、この主制御基板３４の指令を受けて主に演出に関する制御を行うサブ制御基板３５などの各種基板が収容されており、遊技操作部９０からの遊技操作指令に応じてゲームの抽選や所定の制御、演出などの各種機能を内部的に実現するようになっている。
【００２３】
また、図４に示すように、この前面扉２０の背面側には、前記メダル投入口９４と連通したメダルセレクター３６などが設けられており、メダル投入口９４からのメダルの投入を識別したり、不正なメダルを分別するなどの機能を発揮するようになっている。
そして、このような基本構成をした本発明のスロットマシン１００にあっては、図１〜図３に示すように、遊技者と正面に向き合う前面扉２０の意匠パネル部５０であって、遊技者から向かってその左側に、その表面より前記筐体１０側に凹んだ収容部８０が形成されていると共に、その収容部８０内に灰皿ユニット８２を着脱自在に備えた構成となっている。
【００２４】
この灰皿ユニット８２は、その収容部８０に装着される縦長矩体状の枠体部８１と、この枠体部８１内に収容されるほぼ立方体状の吸殻容器８３とから構成されており、この枠体部８１によって収容部８０の上下左右および背面側を縦長矩体状の空間に仕切ると共に、この枠体部８１の内側底部に、高さがこの枠体部８１の半分程度の吸殻容器８３が取り出し自在に収容されるようになっている。なお、図１に示すようにこの吸殻容器８３の前面側には、この吸殻容器８３を摘み出したりするための摘み片８４がこれより突出して設けられていると共に、その上縁前面側には、タバコを保持するための半円状の切り欠き部８５が形成された構造となっている。
【００２５】
このように本発明のスロットマシン１００にあっては、前面扉２０下段の意匠パネル部５０に、その表面より筐体１０側に凹んだ収容部８０を形成すると共に、その収容部８０に灰皿ユニット８２を着脱自在に備えたことから、従来のように灰皿部分が意匠パネル５０の表面から大きく突出することがなくなる。従って、遊技中における灰皿使用時は勿論、遊技者の離着席時などにこれが邪魔になることがなくなり、快適な遊技を提供することができる。
【００２６】
また、メダル受皿６０の近傍から灰皿をなくし、メダル受皿６０よりも高い位置に灰皿を配置したため、メダル排出口６１から払い出されたメダルが灰皿に入り込んだり、その灰皿の設置スペース分だけ、メダル受皿６０の幅（容積）が狭くなってしまうような不都合も確実に解消することができる。
また、タバコの吸い殻が一杯になってしまった場合の清掃作業は、その灰皿ユニット８２の吸殻容器８３のみを摘み出してこの吸殻容器８３のみを交換したり、その吸殻容器８３内の吸い殻を別の容器に移し替えた後、その吸殻容器８３を戻すことで達成できるため、その作業も極めて容易となる。
【００２７】
また、前述したように従来の殆どのスロットマシンは、遊技者から向かって前面扉２０の右端側にメダル投入口９４が設けられていると共に、その左端側にスタートレバー９１やＢＥＴボタン９２、９３が設けられた構造となっており、遊技中は右手側が多用されるような傾向となっている。そのため、通常遊技者は遊技中は左手でタバコを持つ機会が多いことから、本実施の形態のようにこの収容部８０を遊技者から向かって意匠パネル部５０の左端、すなわち遊技者から向かって意匠パネル部５０の中央よりも左側にこの収容部８０を設ければ、灰皿の使い勝手がより向上する。なお、この収容部８０は、本実施の形態以外に意匠パネル部５０の中央部や遊技者から向かって意匠パネル部５０の中央よりも右側に設けたり、あるいは意匠パネル部５０の左右両側などに複数設け、遊技者の選択に委ねて自由に使用できるような構成としても良い。
【００２８】
また、この吸殻容器８３は、特にその材質などは限定されるものでなく、例えば耐熱性の樹脂や金属材料などによって形成することができるが、使用時のタバコの熱や脱落などによって変形・破損した場合でも、この吸殻容器８３のみを新たなものに交換すれば、常に良好な状態を保つことができ、スロットマシン１００の美観などを損なうことなく、長期に亘ってその美観を維持することができる。
【００２９】
また、このようにこの灰皿ユニット８２は、吸殻容器８３のみを分離して取り出すことができる上に、樹脂材料の射出成形などによって比較的安価かつ大量に製造可能であるため、例えばこの吸殻容器８３の表面にお店や企業の広告などを記載して促販用の配付品などとして持ち帰り自由とし、お客様である遊技者の携帯型灰皿などとして活用できるなどといった新たなビジネスモデルを実現することも可能である。
【００３０】
次に、図６〜図１２は、このような構成をした本発明に係るスロットマシン１００の他の実施の形態を示したものである。
先ず、図６〜図８は、本発明のスロットマシン１００の第２の実施の形態を示したものであり、前述した意匠パネル部５０の収容部８０に、これを開閉するための開閉部材８６を備えたものである。
この開閉部材８６は、収容部８０の前面開口部とほぼ同じ大きさをした矩形板状の板材８７の左縁部に、その縁部に沿って上下に延びる摘み部８８を備えたものであり、図８に示すようにその収容部８０の前面開口部の縁部の上下に形成された溝８９、８９（一方のみ図示）内に嵌め込まれ、その溝８９，８９に沿って意匠パネル部５０と平行（横方向）にスライド自在に取り付けられている。
【００３１】
従って、遊技者が非喫煙者であったり、あるいは喫煙者であっても灰皿の未使用時には、これを閉じておけばその灰皿ユニット８２を完全に隠すことができるため、その開閉部材８６の表面を意匠パネル部５０に表示される図柄の一部などとして活用することが可能となったり、灰皿ユニット８２の存在による意匠パネル部５０のデザイン性や美観を損ねることがなくなる。
また、この開閉部材８６は、意匠パネル部５０表面と平行にスライドするスライド式のものであることから、その開閉時などにその開閉部材８６が遊技者と干渉して邪魔になるようなこともない。
【００３２】
なお、図８に示すように、この意匠パネル部５０が、所定の意匠が施されたパネル板５１と、このパネル板５１を前面扉２０のパネル取付部５３側に取り付けるための取付枠体５２とから構成されている場合には、その開閉部材８６を取り付けるための溝８９、８９をパネル板５１の背面側に形成すれば、その開閉部材８６を開いたときにその開閉部材８６がパネル板５１の背面側に隠れるようになるため、開口時におけるパネル板５１のデザイン性や美観を損ねることがなくなる。
【００３３】
また、本実施の形態ではこの開閉部材８６は、意匠パネル部５０表面と平行にスライドするスライド（引き戸）式となっているが、前面扉２０などと同様にその収容部８０の前面開口部の縁部を軸として回動するヒンジ式のものであっても良い。
また、この開閉部材８６を透明または半透明材料で構成し、その内部に灰皿ユニット８２があることを分かりやすくしても良い。
【００３４】
次に、図９は本発明のスロットマシン１００の第３の実施の形態を示したものであり、意匠パネル部５０に設けられた収容部８０に、これより前面扉２０の側面に延びる排煙孔２１を形成したものである。
これによってその収容部８０内で発生したタバコの煙（副流煙）がその排煙孔２１を通過してそのまま前面扉２０の側面側に排出されるようになるため、その収容部８０内で発生したタバコの煙が戻って遊技者側に直接当たったり、そのタバコの煙によってスタートレバー９１やストップボタン９５ａ、９５ｂ、９５ｃなどの各操作部品が汚れてしまうなどといった不都合を防止することができる。
なお、この排煙孔２１を前面扉２０や筐体１０の上面部や背面側まで延ばし、その上面部や背面側から排煙するようにしたり、さらにこの排煙孔２１に専用の排煙ダクトや排煙装置を付設し、その収容部８０内で発生したタバコの煙を強制的に室外などへ排煙するようにしても良い。
【００３５】
次に、図１０および図１１は、本発明のスロットマシン１００の第４の実施の形態を示したものであり、前述した灰皿ユニット８２の他の構造例を示したものである。
図示するように、この灰皿ユニット８２は、前記収容部８０に装着される縦長の枠体部８１と、この枠体部８１内の下段側に対して引き出し式に着脱する吸殻容器８３とからなっている。
【００３６】
そして、この枠体部８１はその前面開口部の中段部分に、これを上下に区画するタバコ載置部８１ａが形成されていると共に、このタバコ載置部８１ａにはこれよりその内部に向かってほぼ水平に延びるタバコ消火部８１ｂが形成されており、さらにこのタバコ消火部８１ｂにはその下部に連通するタバコ落下孔８１ｃが穿孔された構造となっている。なお、このタバコ載置部８１ａの中央部には、半円状をしたタバコ保持溝８３ｄが形成されており、載置したタバコが転げ落ちたりしまうように保持するようになっている。
【００３７】
一方、吸殻容器８３は立方体状をした容器本体８３ａの前端上部にこれより下方に屈曲するよう延びる取っ手８３ｂを備えたものであり、その容器本体８３ａの全体がこの枠体部８１のタバコ載置部８１ａより下段にほぼ完全に収容されると共に、その取っ手８３ｂを把持して引っ張ることで、この吸殻容器８３を枠体部８１に対して引き出し式に着脱できるような構造となっている。
【００３８】
従って、このような灰皿ユニット８２を採用すれば、前記実施の形態の構成のものに比べて構造がやや複雑になる分、製作コストなどはやや高くなる傾向になるものの、タバコ載置部８１ａを利用した着火時のタバコの仮置きや、タバコ消火部８１ｂを利用したその消火（揉み消し動作）、並びにタバコ落下孔８１ｃを介した吸殻容器８３への吸い殻の落下・収容などといった喫煙時の一連の動作の全てに対して十分に対応することができるため、灰皿としてより使い勝手が向上する。
また、この吸殻容器８３は引き出し式になっているため、その着脱作業も極めて容易に行うことが可能となる。
【００３９】
また、このように枠体部８１にタバコ載置部８１ａやタバコ消火部８１ｂを形成した場合、その吸殻容器８３内に吸い殻が溜まっているか否かが外部から多少把握し難くなる場合があることから、さらに図１２に示すように、この吸殻容器８３の前面部分または全体を透明材料から形成してその内部を透視可能とすれば、その吸殻容器８３をわざわざ引き出さなくとも、その内部に溜まった吸い殻の量などを目視によって容易に把握することができる。
従って、目視の結果、その吸殻容器８３内に吸い殻が全くあるいは殆ど溜まっていないことが分かれば、暫くそのままにしておけば良く、その吸い殻の処理や交換作業などをより効率的に行うことができる。
【００４０】
また、このような灰皿ユニット８２を図９に示したスロットマシン１００に採用する場合には、図１０および図１１に示すように、その枠体部８１の上端部付近にその収容部８０に形成された排煙孔２１と連通するような排煙窓２１ａを形成しておけば、前記第３の実施の形態と同様にその枠体部８１内のタバコの煙をその排煙孔２１を介して直接前面扉２０の側面側に排気することが可能となる。
【００４１】
なお、前記各実施の形態では、灰皿ユニット８２を収容・設置するための収容部８０を意匠パネル部５０に設けた例で説明したが、この収容部８０はメダル受皿６０より上方であれば良く、例えば、その意匠パネル部５０の上方に位置する遊技操作部９０や表示部４０などに設けても良い。
また、本実施の形態では遊技に必要な遊技価値媒体としてメダルを用いたが、パチンコ玉のような遊技球であっても良い。
【図面の簡単な説明】
【００４２】
【図１】本発明に係るスロットマシン１００の第１の実施の形態を示す外観斜視図である（吸殻容器８３を外した状態）。
【図２】本発明に係るスロットマシン１００の第１の実施の形態を示す外観斜視図である（吸殻容器８３を収容した状態）。
【図３】本発明に係るスロットマシン１００の第１の実施の形態を示す正面図である。
【図４】第１の実施の形態に係るスロットマシン１００を前面扉２０を開いた状態を示す斜視図である。
【図５】第１の実施の形態に係るスロットマシン１００を前面扉２０を開いた状態を示す正面図である。
【図６】本発明に係るスロットマシン１００の第２の実施の形態を示す外観斜視図である（開閉部材８６を開いた状態）。
【図７】本発明に係るスロットマシン１００の第２の実施の形態を示す外観斜視図である（開閉部材８６を閉じた状態）。
【図８】本発明に係るスロットマシン１００の第２の実施の形態を示す分解斜視図である。
【図９】本発明に係るスロットマシン１００の第３の実施の形態を示す外観斜視図である。
【図１０】本発明に係るスロットマシン１００の第４の実施の形態を示す外観斜視図である（吸殻容器８３を収容した状態）。
【図１１】本発明に係るスロットマシン１００の第４の実施の形態を示す外観斜視図である（吸殻容器８３を取り外した状態）。
【図１２】本発明に係るスロットマシン１００の第４の実施の形態の変形例を示す外観斜視図である。
【図１３】従来の一般的なスロットマシンの構成を示す外観斜視図である。
【符号の説明】
【００４３】
１００…スロットマシン
１０…筐体（キャビネット）
１１…前面開口部
２０…前面扉
３０…内部リール
４０…表示部
５０…意匠パネル部
６０…メダル受皿（受皿部）
８０…収容部
８１…枠体部
８１ａ…タバコ載置部
８１ｂ…タバコ消火部
８１ｃ…タバコ落下孔
８２…灰皿ユニット
８３…吸殻容器
８３ａ…容器本体
８３ｂ…取っ手
８４…摘み部
８５…切り欠き部
８６…開閉部材
９０…遊技操作部
【図１】
2008237525.tif 000003
【図２】
2008237525.tif 000004
【図３】
2008237525.tif 000005
【図４】
2008237525.tif 000006
【図５】
2008237525.tif 000007
【図６】
2008237525.tif 000008
【図７】
2008237525.tif 000009
【図８】
2008237525.tif 000010
【図９】
2008237525.tif 000011
【図１０】
2008237525.tif 000012
【図１１】
2008237525.tif 000013
【図１２】
2008237525.tif 000014
【図１３】
2008237525.tif 000015